(57)【特許請求の範囲】
【請求項１】
トーションレースの編成に必要な組織図上のスピンドルの入れ替え位置と、各スピンドルで使用される糸の種類、遊び糸・地糸・柄糸・芯糸・抜糸などの糸のグループ、スピンドル毎のスプリングより受ける糸の強さなどの糸の情報とを記憶手段に記憶させ、前記スピンドルの入れ替え位置を画像表示手段に画像表示させた後、該画像上で前記位置を修正手段にて修正移動させ、該移動後の確定した位置を繋いで各糸の軌跡を作成することを特徴とするトーションレースの編み上がりイメージ作成方法。
【請求項２】
トーションレースの編成に必要な組織図上のスピンドルの入れ換え位置と各スピンドルで使用される糸の情報とを入力手段を介して記憶する記憶手段と、該記憶手段により記憶された前記スピンドルの入れ替え位置を画像表示する画像表示手段と、該画像表示手段の画像上で前記位置を修正移動する修正手段と、該修正手段による移動後の確定された位置を繋いで各糸の軌跡を前記画像上で作成する軌跡作成手段とを備えたことを特徴とするトーションレースの編み上がりイメージ作成装置。
【発明の詳細な説明】
【０００１】
【発明の属する技術分野】
本発明は、トーションレースの編成に必要な組織図から実際の編み上がりを画像表示手段（ＣＲＴ）上或いはプリントアウトしたぺーパー上の画像により確認できるようにしたトーションレースの編み上がりイメージ作成方法及び装置に関するものである。
【０００２】
【従来の技術】
従来、トーションレースの組織図から編み上がりイメージを作成するには、作成された組織図の升目に沿ってスピンドルの入れ替え位置を各糸の軌跡（流れ）で色分けして作成していた。この色分けによる各糸の流れでは編み上がりイメージが正確につかめず、実際のところはトーションレース機に掛けて試作品を作製する以外には編み上がりイメージを確認することが出来なかった。
【０００３】
【発明が解決しようとする課題】
しかしながら、上記編み上がりイメージの確認のために、実際にトーションレース機に掛けて試作品を作製するには糸の準備から編み上げまでに多くの時間と費用がかかって仕舞い、顧客の要求に迅速に対応できなかったばかりでなく、製品コストに跳ね返るという問題も含んでいた。
【０００４】
本発明は、上記問題点を解消するためのもので、その目的とするところは、トーションレースの編成に必要な組織図を基にして実際の編み上げイメージを画像上で簡易に作成して確認できるようにしたトーションレースの編み上がりイメージ作成方法及び装置を提供することにある。
【０００５】
【課題を解決するための手段】
上記の目的を達成するため、本発明に係るトーションレースの編み上がりイメージ作成方法は、トーションレースの編成に必要な組織図上のスピンドルの入れ替え位置と、各スピンドルで使用される糸の種類、遊び糸・地糸・柄糸・芯糸・抜糸などの糸のグループ、スピンドル毎のスプリングより受ける糸の強さなどの糸の情報とを記憶手段に記憶させ、前記スピンドルの入れ替え位置を画像表示手段に画像表示させた後、該画像上で前記位置を修正手段にて修正移動させ、該移動後の確定した位置を繋いで各糸の軌跡を作成することを特徴とし、組織図を基にトーションレースの編み上がりイメージを画像上で簡易に作成・確認できるように構成した。
【０００６】
また、請求項２に記載の発明に係るトーションレースの編み上がりイメージ作成装置は、トーションレースの編成に必要な組織図上のスピンドルの入れ換え位置と各スピンドルで使用される糸の情報とを入力手段を介して記憶する記憶手段と、該記憶手段により記憶された前記スピンドルの入れ替え位置を画像表示する画像表示手段と、該画像表示手段の画像上で前記位置を修正移動する修正手段と、該修正手段による移動後の確定された位置を繋いで各糸の軌跡を前記画像上で作成する軌跡作成手段とを備えたことを特徴とし、組織図を基に編み上がりイメージを画像上で簡易に作成・確認できるように構成した。
【０００７】
【発明の実施の態様】
次に、本発明の実施態様を図１〜図７に基づいて説明する。図１は本願装置のブロック図、図２はトーションレースの編成に必要な一つの組織図、図３は各スピンドルで使用される糸の情報を示す図、図４は編み上がりイメージ作成方法の作業手順を示すフローチャート図、図５は編み上がりイメージ図、図６（ａ）、（ｂ）は編み上がりイメージ作成手順の前段を示した図、図７（ａ）、（ｂ）は編み上がりイメージ作成手順の後段を示した図である。
【０００８】
本願装置１は、主制御手段（ＣＰＵ）２と、本発明を実施するためのプログラム（ソフトウエア）を書き込んだハードディスク（ＨＤ）３と、キーボード等の入力手段４と、記憶手段（ＲＡＭ）５と、読み出し専用メモリー（ＲＯＭ）５′を備えている。前記記憶手段（ＲＡＭ）５はトーションレースの編成に必要な組織図Ｓ上のスピンドルの入れ換え位置ａ及び指示書Ｐにて指示された各スピンドルで使用される糸の情報ｂとを前記入力手段４を介して記憶するためのものである。
【０００９】
前記組織図Ｓは、図２の如く、縦軸にスピンドルが、横軸にコースがそれぞれ示され、該縦軸及び横軸の交差点には黒丸でスピンドルの入れ換え位置ａが表されている。また、前記指示書Ｐは、図３の如く、糸の情報を具体的に示したものであって、綿糸やポリエステルなどの糸の種類、遊び糸、地糸、柄糸、芯糸、抜糸などのグループ、スピンドル毎のスプリングの強さ、グループ毎のスピンドルの位置その他が記載されている。
【００１０】
前記主制御手段２は、予め、ハードディスク３に書き込まれているプログラム（ソフトウエア）に従って前記記憶手段５に記憶された前記スピンドルの入れ替え位置（図３の黒丸）ａを、図６（ａ）の左図から右図の如く画像表示手段（ＣＲＴ）６に画像表示する。該画像表示手段６への表示に際しては前記位置ａの中央座標が求められる。それには、先ず、トーションレースの編み上がりイメージの幅と長さを決め（入力）し、その決めた幅と長さを考慮して次の式（以下「中央座標式」という）を用いて計算される。
・１スピンドルの幅＝イメージ幅／全スピンドル数
・Ｘ座標＝１スピンドルの幅×スピンドル位置−１スピンドルの幅／２
・１コースの長さ＝イメージ長／全コース数
（スピンドル位置が奇数の場合）
・Ｙ座標＝１コースの長さ×コースの位置−１コースの長さ／４×３
（スピンドル位置が偶数の場合）
・Ｙ座標＝１コースの長さ×コースの位置−１コースの長さ／４×１
【００１１】
前記ＲＯＭ５′には、前記主制御手段２の指令により作動する修正手段７及び軌跡作成手段８が組み込まれている。この修正手段７は前記交差位置ａを、トーションレースの特性により、図６（ｂ）の左図から右図の如く、上下の交差位置の中央へ均等になるように修正移動する。次いで、各スピンドルで使用される糸の情報ｂに基づいて、例えば、スプリングの強さにより、図７（ａ）の左図から右図（Ｂ部参照）の如く、修正移動させる。なお、図６（ａ）、（ｂ）及び図７（ａ）では、交差位置ａを明確にするため、糸の軌跡をＫ′で示している。
【００１２】
前記軌跡作成手段８は、前記修正手段７の作動により移動され、確定された交差位置ａを繋ぐ各糸の軌跡Ｋを、図７（ｂ）の左図から右図の如く、前記画像表示手段６の画像上で作成するためのものである。この軌跡作成手段８によって軌跡Ｋが作成される場合、各糸の太さと色が考慮されるとともに、交差位置ａをスプライン曲線で結ぶこと、及びそれぞれの交差位置ａにおける糸の上下関係を明確にするように裏側になる糸に影（明度差）を付けるようにすることか実感を醸す上で好ましい。該軌跡Ｋの作成により編み上がりイメージＡが、図５の如く、画像上で完成される。
【００１３】
前記編み上がりイメージＡは前記記憶手段（ＲＡＭ）５に記憶させることができるし、該記憶手段５から外部記憶手段（ＦＤ）９か、ハードディスク（ＨＤ）３に記憶させることもできる。また、編み上がりイメージＡは、画像表示手段６に表示させるほか、プリンタ１０に出力させることもできる。
【００１４】
次に、本発明の操作手順を、図３に基づいて説明する。先ず、プログラム（ソフトウエア）を起動する（ステップＩ）。次いで、トーションレースを編成する際に必要な組織図上のスピンドルの入れ換え位置ａと指示書Ｐにて指示された各スピンドルで使用される糸の情報ｂとがキーボード等の入力装置４から入力され記憶手段５に記憶される（ステップＩＩ、ステップＩＩＩ）。
【００１５】
前記記憶手段５に記憶されたデータを基に編み上がりイメージ作成処理（ステップＩＶ）がされる。このイメージ作成処理は、次の４段階で行われる。第１段階として前記組織図からトーションレースの編み上がりイメージの幅と長さを決定（入力）し、その決定した幅と長さを考慮して一定の式（中央座標式）を用いて組織図の全黒丸の中央座標（交差位置）ａを計算する。第２段階として計算された交差位置ａをトーションレースの特性により、図６（ａ）の如く、上下の交差位置ａ′とａ″の中央へ移動する。第３段階として移動した交差位置ａを各スピンドルで使用される糸の情報に基づき、図６（ｂ）の如く、例えば、スプリングの強さにより移動する。第４段階として修正移動された交差位置ａを各糸の太さと色を考慮してスプライン曲線で繋ぐように、図６（ａ）の如く、糸の軌跡を作成するとともに、それぞれの交差位置ａにおける糸の上下関係を明確にするように裏側になる糸に対して影を付ける。
【００１６】
上述の如く、作成された編み上がりイメージＡはデータとして前記記憶手段５に記憶させ、画像表示手段６で作成された結果を表示する（ステップＶ）。さらに修正を必要とする場合（ステップＶＩ）には、入力データ（組織図や指示書のデータ）を変更し、ステップＩＩに戻る。この同じ操作はミスがなくなるまで繰り返される。
【００１７】
このようにして最終的に作成された編み上がりイメージデータは、記憶手段５から外部記憶装置（ＦＤ）９か、ハードディスク（ＨＤ）３に記憶させる（ステップＶＩＩ）し、必要に応じてプリンタ１０にてペーパーとして出力される（ステップＶＩＩＩ）。
【００１８】
そして、画像表示手段（ＣＲＴ）上或いはプリントアウトしたぺーパー上により編み上がりイメージＡを確認した後、プログラム（ソフトウエア）を終了させる（ステップＩＸ）。
【００１９】
【発明の効果】
以上、説明した如く、本発明に係るトーションレースの編み上がりイメージ作成方法はトーションレースの編成に必要な組織図上のスピンドルの入れ替え位置と、各スピンドルで使用される糸の種類、遊び糸・地糸・柄糸・芯糸・抜糸などの糸のグループ、スピンドル毎のスプリングより受ける糸の強さなどの糸の情報とを記憶手段に記憶させ、前記スピンドルの入れ替え位置を画像表示手段に画像表示させた後、該画像上で前記位置を修正手段にて修正移動させ、該移動後の確定した位置を繋いで各糸の軌跡を作成することを特徴としているから、入力されたトーションレースの編成に必要な組織図に、各スピンドルで使用される糸の具体的情報が加味されて実際に糸が交差する位置を割り出されて編み上がりイメージが画像上で簡易に作成・確認できることから、実際にトーションレース機に掛けて試作編みを繰り返す必要がなく、顧客の要求に迅速に対応できるし、製品コストを削減できるという優れた効果を奏するものである
【００２０】
また、請求項２に記載の発明に係るトーションレースの編み上がりイメージ作成装置は、トーションレースの編成に必要な組織図上のスピンドルの入れ換え位置と各スピンドルで使用される糸の情報とを入力手段を介して記憶する記憶手段と、該記憶手段により記憶された前記スピンドルの入れ替え位置を画像表示する画像表示手段と、該画像表示手段の画像上で前記位置を修正移動する修正手段と、該修正手段による移動後の確定された位置を繋いで各糸の軌跡を前記画像上で作成する軌跡作成手段とを備えたことを特徴としているから、必要な組織図と糸の情報の入力するだけて編み上がりイメージが画像上で簡易に作成・確認できるため、実際にトーションレース機に掛けて試作編みを繰り返す必要がなく、顧客の要求に迅速に対応でき、製品コストを削減できるという優れた効果を奏するものである。
【図面の簡単な説明】
【図１】本願装置のブロック図である。
【図２】トーションレースの編成に必要な一つの組織図である。
【図３】各スピンドルで使用される糸の情報を示す図である。
【図４】編み上がりイメージ作成方法の作業手順を示すフローチャート図である。
【図５】編み上がりイメージ図である。
【図６】（ａ）、（ｂ）は編み上がりイメージ作成手順の前段を示した図である。
【図７】（ａ）、（ｂ）は編み上がりイメージ作成手順の後段を示した図である。
【符号の説明】
１  本願装置
２  主制御部（ＣＰＵ）
３  ハードディスク（ＨＤ）
４  入力手段
５  記憶手段（ＲＡＭ）
５′  読み出し専用メモリー（ＲＯＭ）
６  画像表示手段
７  修正手段
８  軌跡作成手段
９  外部記憶手段（ＦＤ）
１０  プリンタ
Ｓ  組織図
ａ  スピンドルの入れ換え位置（交差位置）
ｂ  糸の情報
Ｐ  指示書
Ｋ、Ｋ′  糸の軌跡
Ａ  編み上がりイメージ
【図１】
0003943847.tif 000002
【図２】
0003943847.tif 000003
【図３】
0003943847.tif 000004
【図４】
0003943847.tif 000005
【図５】
0003943847.tif 000006
【図６】
0003943847.tif 000007
【図７】
0003943847.tif 000008